(57)【要約】【課題】通電端子の基板接続端子部の端子間の隙間を小さくして全体を小型化すると共に、部品同士の組付けを容易にして生産性を向上することができる電動ウォーターポンプを提供する。【解決手段】鉄心４３が環状に当接された状態で３個の基板接続端子部５６Ｕ、５６Ｖ、５６Ｗがそれぞれ等間隔且つ平行状に並ぶように、３個の基板接続端子部５６Ｕ、５６Ｖ、５６Ｗを３個の通電端子４７のそれぞれに一体に設けられている。３個の基板接続端子部５６Ｕ、５６Ｖ、５６Ｗを、第１連結部５８及び第２連結部５９のあるヨーク被覆部４８ａ、４８ｂとは別のヨーク被覆部４８ａ、４８ｂに設けた基板接続端子位置決め孔７６に固定している。【選択図】図２
2020156294.tif 000002
【特許請求の範囲】
【請求項１】
複数のヨーク部およびティース部を有して構成され前記複数のヨーク部相互間が屈曲可能に連接された多数枚の磁性材料を積層して、互いに当接可能な両端部を有する帯状に形成された鉄心と、この鉄心にその積層方向両端から複数のヨーク被覆部およびティース被覆部を有するようにして前記積層方向で２分割成形された一対の絶縁ボビンが被着され、前記各ティース被覆部に前記鉄心の両端部に臨む一対のコイル線端末を有する如く電磁コイルを直列デルタ結線にて巻装した前記鉄心の前記各連接部を屈曲させて前記鉄心の両端部を当接することで環状に構成されるステータと、
前記ステータが界磁する回転磁界によって回転するロータと、
基板接続端子部および相間接合端子部を具備するＵ相、Ｖ相、Ｗ相の３個の通電端子を介して前記各電磁コイルの相の境界へと接続され、前記界磁を制御する制御基板と、
前記環状に構成されるステータの前記鉄心の両端部に臨むようにして隣り合う前記絶縁ボビンの前記ヨーク被覆部を相互に連結する第１連結部と、
前記絶縁ボビンの前記第１連結部を備える前記ヨーク被覆部に、前記２分割成形された一対の前記絶縁ボビンを相互に連結する第２連結部と、を備え、
前記帯状部の両端部に臨む前記一対のコイル線端末を相互に連結するためのオス側端末連結端子部およびメス側端末連結端子部を設けるとともに、前記オス側端末連結端子部は前記相間接合端子部と隣設し、
前記鉄心が環状に当接された状態で３個の前記基板接続端子部がそれぞれ等間隔且つ平行状に並ぶように、３個の前記基板接続端子部を前記３個の通電端子のそれぞれに一体に設けるとともに、３個の前記基板接続端子部を前記第１連結部及び前記第２連結部のある前記ヨーク被覆部とは別の、１か所のヨーク被覆部に一挙に設けた３個の基板接続端子位置決め孔に固定していることを特徴とする電動ウォーターポンプ。
【請求項２】
請求項１に記載の電動ウォーターポンプであって、
前記オス側端末連結端子部は、環状に構成される前記ステータの周面に沿って湾曲されていることを特徴とする電動ウォーターポンプ。
【請求項３】
請求項１又は請求項２に記載の電動ウォーターポンプであって、
前記ロータにインペラが連設され、
前記インペラを収容する渦巻室、吸込口、および吐出口を有するポンプケーシングと、
前記渦巻室および前記ロータと、前記ステータとを区画して前記ロータを覆うように前記ポンプケーシングに取り付けられるキャンと、を備えていることを特徴とする電動ウォーターポンプ。
【発明の詳細な説明】
【技術分野】
【０００１】
本発明は電動ウォーターポンプに関する。本発明は特に、機電一体型モータを用いた電動ウォーターポンプに関する。
【背景技術】
【０００２】
従来、電動ウォーターポンプには、吸入口と吐出口とを有するポンプケーシングの内部に配置されると共に、ロータと一体的に回転して吸入口から吐出口へ冷却水を送り込むインペラとを備えた電動ウォーターポンプがある。このような電動ウォーターポンプには、機電一体型モータを用いたものが知られている（例えば、特許文献１参照）。
【０００３】
特許文献１のモータは、鉄心に関節を設けて折り曲げられる構造で、巻線してから筒状に折り曲げることでモータを完成させる、いわゆるポキポキ（登録商標）モータであり、巻線装置により各磁極ティースに巻線を巻回してコイルを形成する。次いで、各コイルの端末を、それぞれ対応するコイル端末接合端子のフック状部に挟み込み、電極により所定の力で加圧する、すなわちヒュージング接合法により接続することで通電する。端子間接続導体、コイル端末接合端子およびコネクタ端子はプレス打ち抜きにより一体成形されている。
【先行技術文献】
【特許文献】
【０００４】
【特許文献１】特許第３４５１２６３号公報
【発明の概要】
【発明が解決しようとする課題】
【０００５】
ところで、特許文献１のモータは、コネクタ端子間にヨークを環状に連結する連結部があるため、コネクタ端子間に隙間ができてしまう。このため、これをつなぐ制御基板の実装面積が必要となり、基板が大型になる。また、コネクタ端子間にヨークを環状に連結する連結部があり連結部をまたいで３個のコネクタ端子を配置するため、コネクタ端子間の並び距離の組付け公差（誤差）が大きくなり、コネクタ端子間に大きな隙間ができる。また、連接部に３個のコネクタ端子があるため、コネクタ端子が邪魔になり制御基板との接合に手間がかかる。さらには、巻線が磁極ティース毎に別れているので個々のコイルを連結するコイル端末接合端子が必要となり部品点数が多くなる。
【０００６】
本発明の目的は、かかる従来技術の問題点に鑑み、通電端子の基板接続端子部の端子間の隙間を小さくして全体を小型化すると共に、部品同士の組付けを容易にして生産性を向上することができる電動ウォーターポンプを提供することにある。
【課題を解決するための手段】
【０００７】
［１］複数のヨーク部およびティース部を有して構成され前記複数のヨーク部相互間が屈曲可能に連接された多数枚の磁性材料を積層して、互いに当接可能な両端部を有する帯状に形成された鉄心と、この鉄心にその積層方向両端から複数のヨーク被覆部およびティース被覆部を有するようにして前記積層方向で２分割成形された一対の絶縁ボビンが被着され、前記各ティース被覆部に前記鉄心の両端部に臨む一対のコイル線端末を有する如く電磁コイルを直列デルタ結線にて巻装した前記鉄心の前記各連接部を屈曲させて前記鉄心の両端部を当接することで環状に構成されるステータと、
前記ステータが界磁する回転磁界によって回転するロータと、
基板接続端子部および相間接合端子部を具備するＵ相、Ｖ相、Ｗ相の３個の通電端子を介して前記各電磁コイルの相の境界へと接続され、前記界磁を制御する制御基板と、
前記環状に構成されるステータの前記鉄心の両端部に臨むようにして隣り合う前記絶縁ボビンの前記ヨーク被覆部を相互に連結する第１連結部と、
前記絶縁ボビンの前記第１連結部を備える前記ヨーク被覆部に、前記２分割成形された一対の前記絶縁ボビンを相互に連結する第２連結部と、を備え、
前記帯状部の両端部に臨む前記一対のコイル線端末を相互に連結するためのオス側端末連結端子部およびメス側端末連結端子部を設けるとともに、前記オス側端末連結端子部は前記相間接合端子部と隣設し、
前記鉄心が環状に当接された状態で３個の前記基板接続端子部がそれぞれ等間隔且つ平行状に並ぶように、３個の前記基板接続端子部を前記３個の通電端子のそれぞれに一体に設けるとともに、３個の前記基板接続端子部を前記第１連結部及び前記第２連結部のある前記ヨーク被覆部とは別の、１か所のヨーク被覆部に一挙に設けた３個の基板接続端子位置決め孔に固定していることを特徴とする。
【０００８】
かかる構成によれば、鉄心が環状に当接（鉄心の両端部を突き合わせる）された状態で３個の基板接続端子部がそれぞれ等間隔且つ平行状に並ぶように、３個の基板接続端子部を３個の通電端子のそれぞれに一体に設けるとともに、３個の基板接続端子部を第１連結部及び第２連結部のあるヨーク被覆部とは別の、単一個のヨーク被覆部に設けた３個の基板接続端子位置決め孔に固定している。すなわち、３個の通電端子の３個の基板接続端子部は、第１連結部、第２連結部及び、鉄心の各連接部がない部分に設けることができるので、従来技術のように３個のコネクタ端子が連結部をまたいで設ける必要がなく大きな隙間が生じない。
【０００９】
さらに、第１連結部及び第２連結部のあるヨーク被覆部には３個の基板接続端子部がなく、邪魔になるものがないので、第１連結部及び第２連結部を容易に連結することができる。帯状部の端部に臨む一対のコイル線端末を有する如く電磁コイルを直列デルタ結線にて鉄心に巻装するので、従来技術のような個々のコイル相互を連結する端末接合端子が不要となり組付け工数を低減できる。このように、通電端子の基板接続端子部の端子間の隙間を小さくして全体を小型化すると共に、部品同士の組付けを容易にして生産性を向上することができる。
【００１０】
［２］また、本発明の電動ウォーターポンプにおいて、
前記オス側端末連結端子部は、環状に構成される前記ステータの周面に沿って湾曲されていることが好ましい。
【００１１】
かかる構成によれば、オス側端末連結端子部が湾曲しているので、環状に構成されるステータの周面に沿ってオス側端末連結端子部を容易に移動させてメス側端末連結端子部に連結でき、結合作業をより容易にすることができる。
【００１２】
[３]また、本発明の電動ウォーターポンプにおいて、
前記ロータにインペラが連設され、
前記インペラを収容する渦巻室、吸込口、および吐出口を有するポンプケーシングと、
前記渦巻室および前記ロータと、前記ステータとを区画して前記ロータを覆うように前記ポンプケーシングに取り付けられるキャンと、を備えていることが好ましい。
【００１３】
かかる構成によれば、いわゆるポキポキモータとして巻線の占積率を向上させたモータを電動ウォーターポンプに組み込むので、小型化や高出力などの性能向上を製造コストを抑えて達成することができる。
【図面の簡単な説明】
【００１４】
【図１】本発明に係る電動ウォーターポンプの分解斜視図である。
【図２】（ａ）は本発明に係る鉄心及び絶縁ボビンの背面図である。（ｂ）は本発明に係る鉄心及び絶縁ボビンの平面図である。（ｃ）は本発明に係る鉄心及び絶縁ボビンの正面図である。（ｄ）は本発明に係る鉄心及び絶縁ボビンの底面図である。
【図３】（ａ）は本発明に係る要部の斜視図である。（ｂ）は本発明の別態様に係る要部の斜視図である。
【図４】（ａ）は鉄心の斜視図である。（ｂ）は絶縁ボビンを組付けた斜視図である。（ｃ）は第１の通電端子を組付けた斜視図である。（ｄ）は第２の通電端子を組付けた斜視図である。（ｅ）は第３の通電端子を組付けた斜視図である。（ｆ）はメス側端末連結端子部を組付けた斜視図である。（ｇ）は電磁コイルを巻線した斜視図である。
【発明を実施するための形態】
【００１５】
以下、図面を用いて本発明の実施形態を説明する。なお、図面は、電動ウォーターポンプ１を概念的（模式的）に示すものとする。
【００１６】
図１に示すように、本発明の一実施形態に係る電動ウォーターポンプ１は、例えば自動車用のいわゆるキャンド型冷却水ポンプであり、ポンプケーシング１０と、支持軸２０と、ロータ３０と、ステータ４０と、キャン６０と、制御基板７０と、基板ハウジング８０とを備えている。
【００１７】
ポンプケーシング１０は、流体の吸入口１１と、この吸入口１１から入りインペラ３１から吐き出された流体を集める渦巻室１２と、この渦巻室１２からの流体を外部に吐出する吐出口１５と、キャン６０等を固定するための締結部材９１が締め付けられる複数個（この実施の形態においては６個）のケース雌ねじ部１３と、支持軸２０が圧入された支持軸保持部１４と、を備えている。
【００１８】
また、ポンプケーシング１０は、導電性を有する軽金属素材のダイカストにて形成されており、このポンプケーシング１０に、支持軸２０の全長の４０％以上に亘る受口長さを有する支持軸保持部１４が一体的に設けられている。支持軸２０は、全長の４０％以上に亘る圧入部２１と、ロータ２０を回転可能に支持する支持本体部２２を有している。なお、この実施の形態においては、支持本体部２２の直径は、圧入部２１の直径よりも大きく設定されている。このような圧入部２１にスラストワッシャ２３が通され、このようなスラストワッシャ２３が支持本体部２２と支持軸保持部１４との間に挟まれた状態で、圧入部２１が支持軸保持部１４に圧入されている。これにより、支持軸２０がポンプケーシング１０に固定されている。
【００１９】
ロータ３０は、内面に支持軸２０の支持本体部２２が挿通される滑り軸受３２と、この滑り軸受３２に設けられたインペラ支持部材３３と、このインペラ支持部材３３に設けられたインペラ３１と、インペラ３１の蓋部３１ａと、インペラ支持部材３３に設けられたロータマグネット３４と、を備えている。インペラ３１は渦巻室１２に収容され、ロータマグネット３４はステータ４０の内径側に配置されている。ロータ３０は、ステータ４０が界磁する回転磁界によって支持軸２０の周囲で回転する。
【００２０】
ステータ４０は、ロータ３０に対して、その回転半径方向外方に配置されている。ステータ４０は、略円環状のステータリング４１と、このステータリング４１の内径側に設けられた絶縁ボビン４２ａ、４２ｂと、この絶縁ボビン４２ａ、４２ｂが被着される鉄心４３と、この鉄心４３に設けられた複数の内向きのティース部４４と、鉄心４３に設けられた複数のヨーク部４５と、各ティース部４４の外方で絶縁ボビン４２ａ、４２ｂに巻装された電磁コイル４６と、この電磁コイル４６に通電する通電端子４７と、を備えている。
【００２１】
また、ステータ４０は、磁性材料で積層され複数のヨーク部４５が連接された鉄心４３の各内向きティース部４４にその両端から複数のヨーク被覆部４８ａ、４８ｂおよび複数のティース被覆部４９ａ、４９ｂを有するようにして積層方向で２分割成形された一対の絶縁ボビン４２ａ、４２ｂが被着されている。さらに、ステータ４０は、絶縁ボビン４２ａ、４２ｂに電磁コイル４６が巻装され、キャン６０と固定される第１締結フランジ４１ａを有する円環状のステータリング４１に嵌装されることで環状に形成されている。
【００２２】
また、ステータ４０は、円環状に形成された複数の内向きのティース部４４の各内径面でキャン６０の周面に外嵌することでキャン６０を介して支持軸２０の軸心に位置決めされている。
【００２３】
キャン６０は、ポンプケーシング１０に固定された樹脂製の区画フランジ部６１および支持軸２０に嵌合する凹部（不図示）を有しており、渦巻室１２およびロータ３０とステータ４０とを区画するとともにロータ３０を覆うようにポンプケーシング１０に取り付けられている。また、キャン６０の区画フランジ部６１には給電カプラ６３が設けられ、この給電カプラ６３に給電端子６４が設けられている。
【００２４】
電動ウォーターポンプ１は、凹部でキャン６０を支持軸２０の軸心に位置決めさせるとともに、ポンプケーシング１０と区画フランジ部６１との相互間に、周方向および径方向の位置ずれ（芯ずれ）を吸収する第１の遊び５０を有している。ポンプケーシング１０と区画フランジ部６１とは第１の遊び５０を介して係合している。
【００２５】
また、電動ウォーターポンプ１は、複数の内向きのティース部４４の各内径面でステータ４０をキャン６０の周面に位置決めさせるとともに、ステータリング４１とキャン６０との相互間に、周方向および径方向の位置ずれを吸収する第２の遊び５１を有している。ステータリング４１とキャン６０とは、第２の遊び５１をもって係合している。なお、この実施の形態においては、ポンプケーシング１０、区画フランジ部６１、ステータリング４１の第１締結フランジ４１ａをこの順に並べるとともに、３個の締結部材９１がステータリング４１の第１締結フランジ４１ａおよび区画フランジ部６１のそれぞれのねじ挿通孔に通され、ポンプケーシング１０の上記６個のケース雌ねじ部１３のうちの３か所に締結している。
【００２６】
ステータ４０の界磁を制御する制御基板７０は、絶縁ボビン４２ｂから延び出るようにして設けられる固定脚部５２を介してステータリング４１の端面である第２締結フランジ４１ｂに保持され、給電端子６４と電気的に接続されている。より詳細には、固定脚部５２の内径側にはカラー５３が配置され、締結部材９２が制御基板７０側からカラー５３内に挿通され、ステータリング４１の第２締結フランジ４１ｂに締結されている。
【００２７】
しかも、給電端子６４には、第２の遊び５１を吸収するように傾動可能な応力吸収部６５が設けられている。また、絶縁ボビン４２ｂには、固定脚部５２に隣接して給電端子６４の先端を制御基板７０のスルーホール７１へ案内する案内部５４が設けられている。
【００２８】
また、電動ウォーターポンプ１には、制御基板７０およびステータ４０を液密に覆うべく、導電性を有する金属素材からなり、底壁と周壁とを備えるいわゆるバスタブ状に形成された基板ハウジング８０が設けられている。基板ハウジング８０は、区画フランジ部６１を挟持するようにしてポンプケーシング１０に固定されるものであり、この実施の形態においては、３個の締結部材９１によりポンプケーシング１０の上記６個のケース雌ねじ部１３のうち残余の３か所に締結するとともに、締結部材９１と区画フランジ部６１との間には、第１の遊び５０を許容する導電性カラー部材６６が介装されている。
【００２９】
なお、制御基板７０と基板ハウジング８０の底壁との間には放熱グリス（不図示）が塗布され、制御基板７０と基板ハウジング８０との間を熱伝導可能に密着している。また、キャン６０とポンプケーシング１０との間には第１シール部材８１が設けられている。
さらに、制御基板７０の外方で基板ハウジング８０と区画フランジ部６１との間には第２シール部材８２が設けられている。
【００３０】
次に鉄心４３、絶縁ボビン４２ａ、４２ｂ及び通電端子４７ａ、４７ｂ、４７ｃについて説明する。図１、図２（ａ）〜図２（ｄ）及び図３（ａ）に示すように、ステータ４０は、複数のヨーク部４５およびティース部４４を有して構成され、且つ、複数のヨーク部相互間が折り曲げ（屈曲）可能な如く設けられた連接部４３ａを介して連接された磁性材料（例えば、電磁鋼板材）からなる多数枚かつ薄板の鉄心素材をその板厚方向で積層することにより、連接された複数のヨーク部が並列する長手方向の両端に、互いに突き合わせ可能な両端部を有する如くほぼ帯状に形成された鉄心４３と、複数のヨーク被覆部４８ａ、４８ｂおよびティース被覆部４９ａ、４９ｂを有するようにして上記薄板の鉄心素材の積層方向で２分割となるように成形された一対の絶縁ボビン４２ａ、４２ｂとを有するものであり、上記鉄心４３には上記一対の絶縁ボビン４２ａ、４２ｂが被着されている。
【００３１】
なお、ステータ４０は、各ティース被覆部４９ａ、４９ｂに上記鉄心４３の両端部に臨む一対のコイル線端末を有する如く電磁コイル４６を直列デルタ結線にて巻装した鉄心４３の各連接部４３ａを屈曲させて、上記両端部の相互を当接（突合）することで環状に構成される。
【００３２】
制御基板７０は、基板接続端子部５６Ｕ、５６Ｖ、５６Ｗおよび相間接合端子部５７ｃ、５７ｂ、５７ａを具備するＵ相、Ｖ相、Ｗ相の３個の通電端子４７ｃ、４７ｂ、４７ａを介して各電磁コイル４６の相の境界へと接続され、界磁を制御する。絶縁ボビン４２ａには、案内壁４２ｃが形成されており、この案内壁４２ｃに通電端子４７ａ、４７ｂ、４７ｃが案内されている。また、各電磁コイル４６を繋ぐ渡り線４６ａは案内壁４２ｃに沿って配置されている。
【００３３】
また、ステータ４０は、環状に突き合わされた鉄心４３の両端部に臨むようにして隣り合う絶縁ボビン４２ａ、４２ｂのヨーク被覆部４８ａ、４８ｂを相互に連結する第１連結部５８ａ、５８ｂと、絶縁ボビン４２ａ、４２ｂの第１連結部５８を備えるヨーク被覆部４８ａ、４８ｂに、２分割成形された一対の絶縁ボビン４２ａ、４２ｂを相互に連結する第２連結部５９ａ、５９ｂと、を備えている。第１連結部５８ａ、５８ｂ及び第２連結部５９ａ、５９ｂは、いわゆるスナップフィットと呼ばれる、部材の弾性を利用してワンプッシュで爪部を相手方の溝部に連結する構成である。
【００３４】
また、鉄心４３の両端部に臨む一対のコイル線端末（電磁コイル４６の端末）を相互に連結するためのオス側端末連結端子部７４およびメス側端末連結端子部７５を設けるとともに、オス側端末連結端子部７４は相間接合端子部５７ａと隣設しており、オス側端末連結端子部７４及び相間接合端子部５７ａは基板接続端子部５６Ｗを具備する通電端子４７ａと一体的に設けられている。
【００３５】
また、鉄心４３が環状に当接された状態で３個の基板接続端子部５６Ｕ、５６Ｖ、５６Ｗがそれぞれ等間隔且つ平行状に並ぶように、３個の基板接続端子部５６Ｕ、５６Ｖ、５６Ｗを３個の通電端子４７ｃ、４７ｂ、４７ａのそれぞれに一体に設けるとともに、３個の基板接続端子部５６Ｕ、５６Ｖ、５６Ｗを第１連結部５８ａ、５８ｂ及び第２連結部５９ａ、５９ｂのあるヨーク被覆部４８ａ、４８ｂとは別の、１か所のヨーク被覆部４８ａ、４８ｂに一挙に設けた３個の基板接続端子位置決め孔７６に固定している。
【００３６】
次に別態様のオス側端末連結端子部７４について説明する。図３（ｂ）に示すように、オス側端末連結端子部７４は、環状に構成されるステータ４０の周面に沿って湾曲されている。オス側端末連結端子部７４が湾曲しているので、環状に構成されるステータ４０の周面に沿ってオス側端末連結端子部７４を容易に移動させてメス側端末連結端子部７５に連結でき、結合作業をより容易にすることができる。
【００３７】
次にステータ４０の組み立てについて説明する。図４（ａ）に示すように、複数のヨーク部４５およびティース部４４を有するように薄板の電磁鋼板より切り抜かれた多数枚の磁性材料を積層することにより、複数のヨーク部４５相互間が屈曲可能に連接され、互いに当接可能な両端部を有する帯状の鉄心４３を得る。続いて、図４（ｂ）に示すように、帯状の鉄心４３に絶縁ボビン４２ａ、４２ｂを被せる。このとき第２連結部５９ａ、５９ｂにより上側半体の絶縁ボビン４２ａと下側半体の絶縁ボビン４２ｂとを連結するとともに、第１連結部５８ａ、５８ｂの存するヨーク被着部４８ａ、４８ｂが鉄心４３の両端部に配置される。
【００３８】
次に、図４（ｃ）に示すように、Ｌ型の第１（Ｗ相）の通電端子４７ａを絶縁ボビン４２ａ、４２ｂに嵌め、第１の通電端子４７ａの基板接続端子部５６Ｗを第１連結部５８及び第２連結部５９のあるヨーク被覆部４８ｂとは別の、単一個のヨーク被覆部４８ｂに設けた基板接続端子位置決め孔７６に固定する。これにより、Ｌ型の第１の通電端子４７ａと一体に設けられたオス側端末連結端子部７４及び相間接合端子部５７ａが鉄心４３の一端部に臨む第１連結部５８ａ及び第２連結部５９ａのあるヨーク被覆部４８ａ（図４（ｃ）中最も右側のヨーク被覆部４８ａ）に一挙に配置される。
【００３９】
続いて、図４（ｄ）に示すように、第２（Ｕ相）の通電端子４７ｂを絶縁ボビン４２ａ、４２ｂに嵌め、第２の通電端子４７ｂの基板接続端子部５６Ｕを第１連結部５８及び第２連結部５９のあるヨーク被覆部４８ｂとは別の、単一個のヨーク被覆部４８ｂに設けられた基板接続端子位置決め孔７６に固定する。また、これにより、相間接合端子部５７ｂが、ヨーク被覆部４８ａに配置される。
【００４０】
さらに続いて、図４（ｅ）に示すように、Ｌ型の第３（Ｖ相）の通電端子４７ｃを絶縁ボビン４２ａ、４２ｂに嵌め、第３の通電端子４７ｃの基板接続端子部５６Ｖを、第１連結部５８及び第２連結部５９のあるヨーク被覆部４８ｂとは別の、単一個のヨーク被覆部４８ｂに設けた基板接続端子位置決め孔７６に固定する。また、これにより、相間接合端子部５７ｃが、ヨーク被覆部４８ａに配置される。このように、第１連結部５８及び第２連結部５９のあるヨーク被覆部４８ｂとは別の、１か所のヨーク被覆部４８ｂに一挙に設けられた隣り合う３個の基板接続端子位置決め孔７６にそれぞれ固定された基板接続端子部５６Ｕ、５６Ｖ、５６Ｗは、相互間に大きな隙間ができることなく、一定の間隔で隣り合うように平行配置される。
【００４１】
次に、図４（ｆ）に示すように、差し込み型のメス側端末連結端子部７５を絶縁ボビン４２ａに固定する。メス側端末連結端子部７５は、鉄心４３の他端部（図４（ｆ）中最も左側のヨーク被覆部４８ａ）に臨む第１連結部５８のあるヨーク被覆部４８ａに設けられる。
【００４２】
図４（ｇ）に示すように、絶縁ボビン４２ａ、４２ｂに電磁コイル４６を巻線する。１本の線材が周方向に沿って隣り合う奇数個（この実施の形態においては、３個×３相＝９個のティース部４４）の各ティース部４４を被覆している各ティース被覆部４９ａ、４９ｂに順次かけ渡される。より詳細には、まず、鉄心４３の端部に臨むオス側端末連結端子部７４またはメス側端末連結端子部７５のいずれか一方側を巻始部として１本の線材の端末の一方を係着（線材を絡げる）する。この実施形態においては、オス側端末連結端子部７４と一体に隣設された相間接合端子部５７ａに巻始部を係着した上記１本の線材を、続けて鉄心４３の端部に臨むヨーク被覆部４８ａ、４８ｂに巻線する。
【００４３】
次に線材を、上記鉄心４３の端部に臨むヨーク被覆部４８ａ、４８ｂと周方向に沿って隣り合う２個のヨーク被覆部４８ａ、４８ｂに順次かけ渡す。さらに続いて、線材を相間接合端子部５７ｂに係着する。再び、周方向に沿って隣り合う３個のヨーク被覆部４８ａ、４８ｂに順次かけ渡し、次に相間接合端子部５７ｃに係着する。さらに、同様にして、残余の３個のヨーク被覆部４８ａ、４８ｂに順次かけ渡した上記線材の端末の他方側すなわち巻終部を、メス側端末連結端子部７５に係着する。
【００４４】
そして、上記１本の線材と、オス側端末連結端子部７４、相間接合端子部５７ａ、５７ｂ、５７ｃ、及びメス側端末連結端子部７５とを、周知のヒュージング接合法等により接続することで、電気的に接続する。このように結線された電磁コイル４６はいわゆる直列デルタ結線の態様を呈し、この態様では、１本の線材の各端末が鉄心４３の両端部に臨むようにして各ティース被覆部４９ａ、４９ｂに順次かけ渡されるとともに、その途上で、上記線材は通電端子４７ａ、４７ｂ、４７ｃの各相間接合端子部５７ａ，５７ｂ，５７ｃにそれぞれ係着している。これにより、従来技術のような個々のコイル相互を連結する端末接合端子は不要であることとなる。
【００４５】
そして、図３（ａ）に示すように、この実施の形態においては９個のティース部４４が環の中心方向を指向するように鉄心４３の連接部を折り曲げて環状と成し、その鉄心４３の両端部を突き合わせる。このとき、鉄心４３の両端部に臨む絶縁ボビン４２ａ、４２ｂの第１連結部５８ａ、５８ｂを連結するとともに、第１連結部５８ａ、５８ｂに隣在するオス側端末連結端子部７４とメス側端末連結端子部７５とを連結する。これにより、環状に連結されたステータ４０が得られる。
【００４６】
次に、上記ステータ４０を用いた電動ウォーターポンプ１の組付け手順の概要を説明する。ポンプケーシング１０に支持軸２０を圧入固定する。インペラ３１を有するロータ３０を滑り軸受３２を介在して支持軸２０に挿入し、第１シール部材８１をポンプケーシング１０に組付ける。続いて、キャン６０の凹部を支持軸２０に嵌め合わせ、ロータ３０がポンプケーシング１０とキャン６０に覆われた状態にする。なお、キャン６０のねじ挿通孔には導電性カラー部材６６を嵌め込む。
【００４７】
また、これとは別に、上述したように、磁性材料より積層された鉄心４３に一対の絶縁ボビン４２ａ、４２ｂを被着するとともに電磁コイル４６を巻線してから環状に連結したステータ４０を作製する。
【００４８】
続いて、作製したステータ４０をステータリング４１の内方に嵌める。さらに、ステータ４０の絶縁ボビン４２ｂに設けられた固定脚部５２に締結部材９２を通過させて第２締結フランジ４１ｂにねじ込み、これにより制御基板７０をステータリング４１に固定する。
【００４９】
このとき、案内部５４とスルーホール７１とが位置決めされるとともに、ステータ４０から延びている通電端子４７の先端部分がスルーホール７１を通って制御基板７０に挿通される。
【００５０】
次に、上記したように制御基板７０を締結したステータ４０の内周面をキャン６０のロータ３０を覆っている円筒状の部位の周面に嵌める。このとき、キャン６０から突出している給電端子６４の基板側先端部分が絶縁ボビン４２ｂの案内部５４を通ってスルーホール７１を通って制御基板７０に挿通される。ステータリング４１の第１締結フランジ４１ａ、およびキャン６０のねじ挿通孔に介装した導電性カラー部材６６へとこの順に３個の締結部材９１を挿通し、この締結部材９１をハウジング１０の３か所のケース雌ねじ部１３に締結することで、ロータ３０を覆うキャン６０およびステータ４０を保持するステータリング４１の各部材がハウジング１０に固定される。
【００５１】
さらに、制御基板７０に挿通された通電端子４７及び給電端子６４をはんだ付けする。第２シール部材８２を区画フランジ部６１と基板ハウジング８０との間に介在させるようにして区画フランジ部６１と基板ハウジング８０とを当接させ、ステータ４０および制御基板７０がポンプケーシング１０と基板ハウジング８０に覆われた状態にするとともに、基板ハウジング８０のねじ挿通孔からキャン６０のねじ挿通孔の導電性カラー部材６６へとこの順に残余の３個の締結部材９１をそれぞれ挿通し、この締結部材９１をハウジング１０の残余の３か所のケース雌ねじ部１３に締結することで、電動ウォーターポンプ１の組付けが完了する。
【００５２】
以上のように、本実施形態によれば、鉄心４３の両端部が環状に当接された状態で３個の基板接続端子部５６Ｕ、５６Ｖ、５６Ｗがそれぞれ等間隔且つ平行状に並ぶように、３個の基板接続端子部５６Ｕ、５６Ｖ、５６Ｗを３個の通電端子４７ｃ、４７ｂ、４７ａのそれぞれに一体に設けるとともに、３個の基板接続端子部５６Ｕ、５６Ｖ、５６Ｗを第１連結部５８及び第２連結部５９のあるヨーク被覆部４８ａ、４８ｂとは別の、１か所のヨーク被覆部４８ａ、４８ｂに一挙に設けた基板接続端子位置決め孔７６に固定している。すなわち、３個の通電端子４７ｃ、４７ｂ、４７ａの３個の基板接続端子部５６Ｕ、５６Ｖ、５６Ｗは、第１連結部５８ａ，５８ｂ、第２連結部５９ａ、５９ｂ及び、連接部４３ａがない部分に設けるので、従来技術のように３個の基板接続端子部５６Ｕ、５６Ｖ、５６Ｗが連結部や連接部をまたいで設けられることがなく、３個の基板接続端子部５６Ｕ、５６Ｖ、５６Ｗ相互間には大きな隙間が生じない。
【００５３】
さらに、第１連結部５８ａ，５８ｂ及び第２連結部５９ａ、５９ｂのあるヨーク被覆部４８ａ、４８ｂには３個の基板接続端子部５６Ｕ、５６Ｖ、５６Ｗがなく、邪魔になるものがないので、第１連結部５８ａ，５８ｂ及び第２連結部５９ａ、５９ｂを容易に連結することができる。しかも、鉄心４３の両端部に臨む一対のコイル線端末を有する如く電磁コイル４６を直列デルタ結線にて鉄心に巻装するので、従来技術のような個々の電磁コイル相互を連結する端末接合端子が不要となり組付け工数を低減することができる。このように、通電端子４７ｃ、４７ｂ、４７ａの基板接続端子部５６Ｕ、５６Ｖ、５６Ｗの端子間の隙間を小さくして全体を小型化すると共に、部品同士の組付けを容易にして生産性を向上することができる。
【００５４】
さらに、いわゆるポキポキモータとして巻線の占積率を向上させたモータを電動ウォーターポンプ１に組み込むので、小型化や高出力などの性能向上を、製造コストを抑えて達成することができる。
【００５５】
なお、実施形態では、モータのティース部４４を９個としたがこれに限定されず、たとえば３個（ティース１個×３相）、１５個（ティース５個×３相）、２１個（ティース７個×３相）であってもよい。また実施形態では、第２連結部５９を２か所設けたが、第２連結部５９を３か所以上設けてもよい。
【符号の説明】
【００５６】
１…電動ウォーターポンプ、１０…ポンプケーシング、１１…吸入口、１２…渦巻室、１５…吐出口、３０…ロータ、４０…ステータ、４２ａ、４２ｂ…絶縁ボビン、４３…鉄心、４３ａ…連接部、４４…ティース部、４５…ヨーク部、４６…電磁コイル、４７ａ、４７ｂ、４７ｃ…通電端子、４８ａ、４８ｂ…ヨーク被覆部、４９ａ、４９ｂ…ティース被覆部、５６Ｕ、５６Ｖ、５６Ｗ…基板接続端子部、５７ａ、５７ｂ、５７ｃ…相間接合端子部、５８ａ、５８ｂ…第１連結部、５９ａ、５９ｂ…第２連結部、６０…キャン、７０…制御基板、７４…オス側端末連結端子部、７５…メス側端末連結端子部、７６…基板接続端子位置決め孔。
【図１】
2020156294.tif 000003
【図２】
2020156294.tif 000004
【図３】
2020156294.tif 000005
【図４】
2020156294.tif 000006